(57)【要約】  本発明はＳＩＭカード固定装置およびモバイル端末に関し、該カード固定装置が端末に設置されており、ＳＩＭカードを支持するカードトレイと、カードトレイを支持するためのカードホルダーと、カードトレイを固定するためのロック機構と、を含んでおり、カードホルダーには、ＳＩＭカードの排出の際に、カードトレイに対して端末の外部に向かう押出力を印加するための第１の弾性部材が設置され、ロック機構は、押圧部材、ロックバー、および第２の弾性部材を含み、ロックバーにはロックキャッチが設置され、カードトレイにはロック部材が設置され、カードトレイが端末に挿入された場合、ロックキャッチとロック部材とが組み合わせ抵抗することによりカードトレイの排出を阻止し、押圧部材には、押圧部材が押圧された場合、ロックバーを移動するように押すことによって、ロックバーにおけるロックキャッチを移動させカードトレイの排出を実現するための、ロックバーに接触する第１の付勢面が設置され、第２の弾性部材はロックバーに連結され、カードトレイを排出させた後、ロックバーの復帰を実現するために用いられる。本発明の実施例はＳＩＭカードの着脱を容易にする。【選択図】図１
2017500678.tif 000002
【特許請求の範囲】
【請求項１】
ＳＩＭカードを収納する端末に設置され、ＳＩＭカードを支持するためのカードトレイと、前記カードトレイが前記端末に挿入されたときに前記カードトレイを支持するためのカードホルダーと、前記カードトレイを固定するためのロック機構と、を含み、
前記カードホルダーには、前記ＳＩＭカードの排出の際に、前記カードトレイに対して前記端末の外部に向かう押出力を印加するための第１の弾性部材が設置され、
前記ロック機構は、押圧部材、ロックバー、および第２の弾性部材を含み、
前記ロックバーにはロックキャッチが設置され、前記カードトレイにはロック部材が設置され、前記ＳＩＭカードを支持する前記カードトレイが前記端末に挿入された場合、前記ロックキャッチと前記ロック部材とが組み合わせ抵抗することにより前記カードトレイの排出を阻止し、
前記押圧部材には、前記ロックバーに接触する付勢面が設置され、
前記付勢面は、前記押圧部材が押圧された場合、前記ロックバーを移動するように押すことによって、前記ロックバーにおける前記ロックキャッチを移動させ、前記ロック部材と前記ロックキャッチとの組み合わせ抵抗を解除して前記カードトレイの排出を実現し、
前記第２の弾性部材は、前記ロックバーに連結され、前記カードトレイが排出された後、前記ロックバーの復帰を実現する
ことを特徴とするＳＩＭカード固定装置。
【請求項２】
前記第１の弾性部材は、前記カードホルダーにおける前記カードトレイの後側面に対向する後壁に設置されており、前記後側面は前記カードトレイが前記端末に挿入されるときに露出する側面の対向面である
ことを特徴とする請求項１に記載の装置。
【請求項３】
前記カードトレイには、前記ロック部材が２つ設置されており、
前記ロックバーに設置されている４つの前記ロックキャッチを有し、２つのロックキャッチが１つのロック部材に抵抗し、他の２つのロックキャッチがもう１つのロック部材に抵抗する
ことを特徴とする請求項１に記載の装置。
【請求項４】
前記第２の弾性部材はコイルバネであることを特徴とする請求項１に記載の装置。
【請求項５】
前記ロック機構は、さらに、前記押圧部材に対応する第３の弾性部材を含んでおり、前記第３の弾性部材は、押圧された後の前記押圧部材を前記第３の弾性部材による弾性力で復帰させる
ことを特徴とする請求項１に記載の装置。
【請求項６】
前記第３の弾性部材は、前記ロックバーに固定されている押圧バネであり、前記押圧バネの付勢端が前記押圧部材に接触している
ことを特徴とする請求項５に記載の装置。
【請求項７】
前記カードトレイの側面には、第１の係止部材が設置され、
前記カードホルダーにおける前記カードトレイの側面と方向が同一の側縁には、前記カードトレイの排出の際に前記第１の係止部材に抵抗を印加するための第２の係止部材が設置される
ことを特徴とする請求項１に記載の装置。
【請求項８】
前記ロック機構は、さらに、前記ロックバーに位置決め力を印加するための位置決め部材を含む
ことを特徴とする請求項１に記載の装置。
【請求項９】
ケース、および請求項１〜８のいずれか１項に記載のＳＩＭカード固定装置を含んでおり、
前記ケースには、前記カードトレイの挿入のためのスロットが設置され、前記ＳＩＭカード固定装置が前記ケースに設置され、且つ、前記ＳＩＭカード固定装置における前記ロックバーには、前記カードトレイの挿入のために、前記スロットに対応するスロット部が設置されていることを特徴とするモバイル端末。
【請求項１０】
前記ＳＩＭカード固定装置における押圧バネは、前記ロックバーまたは前記ケースに固定されていることを特徴とする請求項９に記載のモバイル端末。
【発明の詳細な説明】
【技術分野】
【０００１】
本発明は端末構造に関し、特に、端末におけるＳＩＭカード固定装置およびモバイル端末に関する。
【背景技術】
【０００２】
従来技術において、携帯電話にＳＩＭカードを実装するために、一般的には、カードトレイ＋エジェクトピンという方式、つまり、ＳＩＭカードをカードトレイに配置し、そして、カードトレイを携帯電話のカードホルダーに押し入れるという方式を用いており、カードトレイを取り出す際に、エジェクトピンを携帯電話のケースに設けられているエジェクトピン孔に挿入し、該エジェクトピンが回転軸を押して、テコの原理を利用して、該回転軸がカードトレイを押して携帯電話から飛び出させる。しかしながら、このような方式を用いる場合、ユーザはエジェクトピンを持ち歩かなければならず、さもなければ、ＳＩＭカードを取り出すことができず、非常に不便である。
【発明の概要】
【発明が解決しようとする課題】
【０００３】
従来技術に存在している課題を解決するために、本発明はＳＩＭカードの固定装置およびモバイル端末を提供することによって、ＳＩＭカードの着脱を容易にする。
【課題を解決するための手段】
【０００４】
本発明の実施例の第１の形態によれば、ＳＩＭカードの固定装置を提供し、前記装置はＳＩＭカードを収納する端末に設置され、前記ＳＩＭカードを支持するためのカードトレイと、前記カードトレイが前記端末に挿入されたときに前記カードトレイを支持するためのカードホルダーと、前記カードトレイを固定するためのロック機構と、を含んでおり、
前記カードホルダーには、前記ＳＩＭカードの排出の際に、前記カードトレイに対して前記端末の外部に向かう押出力を印加するための第１の弾性部材が設置され、
前記ロック機構は、押圧部材、ロックバー、および第２の弾性部材を含み、
前記ロックバーにはロックキャッチが設置され、前記カードトレイにはロック部材が設置され、前記ＳＩＭカードを支持する前記カードトレイが前記端末に挿入された場合、前記ロックキャッチと前記ロック部材とが組み合わせ抵抗することにより前記カードトレイの排出を阻止し、
前記押圧部材には、前記押圧部材が押圧された場合、前記ロックバーを移動するように押すことによって、前記ロックバーにおける前記ロックキャッチを移動させ、前記ロック部材と前記ロックキャッチとの組み合わせ抵抗を解除して前記カードトレイの排出を実現するための、前記ロックバーに接触する第１の付勢面が設置され、
前記第２の弾性部材は、前記ロックバーに連結され、前記カードトレイが排出された後、前記ロックバーの復帰を実現するために用いられる。
【０００５】
本発明の実施例の第２の形態によれば、モバイル端末を提供し、ケース、および本発明の実施例に記載のＳＩＭカード固定装置を含んでおり、前記ケースには前記カードトレイの挿入のためのスロットが設置され、前記ＳＩＭカード固定装置が前記ケースに設置され、且つ、前記ＳＩＭカード固定装置における前記ロックバーには、前記カードトレイの挿入のために、前記スロットに対応するスロット部が設置されている。
【０００６】
本発明の実施例に係る技術手段は、以下の有益な効果を有する。押圧部材とロックバーを含むロック機構を設置することによって、該押圧部材を押すだけで、ロックバーを移動させ得、カードトレイに対するロックを解除でき、且つ、ロックバーにおけるロックキャッチとカードトレイにおけるロック部材との組み合わせによって、カードトレイを推進させるだけで該２つの部材を組み合わせてカードトレイの排出を阻止し、ＳＩＭカードの着脱を容易にする。
【０００７】
以上の一般的な記述及び以下の詳細な記述は、例示のものに過ぎず、本開示を限定するものではないと理解すべきである。
【図面の簡単な説明】
【０００８】
ここでの図面は、本明細書の一部として、本発明に適切な実施例を示し、明細書と合わせて本発明の原理を説明するために役立てられる。
【図１】例示的な実施例におけるＳＩＭカード固定装置の構造を模式的に示す図である。
【図２】例示的な実施例におけるＳＩＭカード固定装置におけるカードトレイの構造を模式的に示す図である。
【図３】例示的な実施例におけるＳＩＭカード固定装置におけるロック機構の構造を模式的に示す図である。
【図４】例示的な実施例におけるＳＩＭカード固定装置の係止状態を模式的に示す図である。
【図５】例示的な実施例におけるＳＩＭカード固定装置の２つの側面を模式的に示す図である。
【図６】例示的な実施例におけるＳＩＭカード固定装置における第３の弾性部材の設置を模式的に示す図である。
【図７】例示的な実施例におけるＳＩＭカード固定装置における押圧部材の原理を模式的に示す図である。
【図８】例示的な実施例におけるＳＩＭカード固定装置における係止機構を模式的に示す図である。
【図９】例示的な実施例における係止状態を模式的に示す第１の図である。
【図１０】例示的な実施例における係止状態を模式的に示す第２の図である。
【図１１】例示的な実施例における係止状態を模式的に示す第３の図である。
【図１２】例示的な実施例におけるカード排出状態を模式的に示す第１の図である。
【図１３】例示的な実施例におけるカード排出状態を模式的に示す第２の図である。
【図１４】例示的な実施例におけるカード排出状態を模式的に示す第３の図である。
【図１５】例示的な実施例におけるカード排出状態を模式的に示す第４の図である。
【図１６】例示的な実施例におけるモバイル端末を示すブロック図である。
【発明を実施するための形態】
【０００９】
ここで、図面に示された例示的な実施例を詳細に説明する。以下の内容において、図面を言及するとき、特に説明しない限り、異なる図面における同じ数字は同一または同等の要素を示す。以下の例示的な実施例に記載の実施の形態は、本発明と一致するあらゆる実施の形態を代表するわけではない。逆に、それらは、添付された特許請求の範囲に詳細に記載される、本発明の一側面と一致する装置及び方法の例にすぎない。
【００１０】
本発明の実施例はＳＩＭカード固定装置を提供し、該固定装置によってエジェクトピンを使用せずにＳＩＭカードの着脱を容易にする。図１を参照して、図１は例示的な実施例におけるＳＩＭカード固定装置の構造を模式的に示す図であり、該装置はカードトレイ１１、カードホルダー１２およびロック機構１３を含む。
【００１１】
ここで、カードトレイ１１の構造としては図２を参照する。該カードトレイ１１は、ＳＩＭカードを載置するためのものであり、例えば、ＳＩＭカードを携帯電話に挿入しようとする場合、ＳＩＭカードを該カードトレイ１１に配置して、該カードトレイ１１を携帯電話に挿入する。図２に示すように、具体的には、ＳＩＭカードをカードトレイのカードスロット２１に配置することができる。且つ、図２より分かるように、該カードスロット２１は、１角が欠けてＳＩＭカードの形状に類似する形状をしており、ＳＩＭカードを配置するときの正確な位置を示し、該カードスロットの形状に合致しなければＳＩＭカードが正確な位置に差し込まれないことを示す。
【００１２】
カードホルダー１２は、カードトレイ１１が端末に挿入されているときにカードトレイを支持するためのものであり、例えば、ＳＩＭカードが配置されているカードトレイを携帯電話に挿入した場合、該カードトレイが実質的にカードホルダー１２に配置されている。本実施例においては、カードホルダー１２には第１の弾性部材１４が設置され、該第１の弾性部材は、例えばＳＩＭカードの排出の際にカードトレイ１１に対して端末の外部に向かう押出力を印加するバネである。本実施例に記載のＳＩＭカード固定装置は、ＳＩＭカードのカードトレイを係止しないために、ＳＩＭカードを排出するとき、該バネによる押出力でカードトレイを端末から押し出す。
【００１３】
図１は、バネの設置位置を例示的に示している。カードトレイ１１は、端末に挿入されたときの露出側面１５と、カードトレイの着脱方向（図１における矢印方向）に沿って露出側面１５に対向する側面、即ち、後側面１６との２つの側面を含む。バネは、該カードトレイの後側面１６に対向する後壁１７に配置され得る。図１より分かるように、カードトレイ１１を矢印に示す排出方向に沿って排出しようとする場合、第１の弾性部材１４である該バネは、カードトレイに対してカードトレイを外部へ押す押出力を印加することができる。具体的に実施する過程において、バネの数または配置については、本実施例に限定されず、推力作用を奏すればよい。
【００１４】
本実施例においては、図１はロック機構１３のみを模式的に示す。該ロック機構１３はカードトレイ１１を固定するためのものであり、例えば、ＳＩＭカードを支持するカードトレイを携帯電話に挿入した場合、該ロック機構１３でカードトレイを固定することによって、カードトレイ１１が携帯電話から飛び出すことを回避する。該ロック機構１３がカードトレイ１１に係止力を印加しない場合、上記のカードホルダー１２に設置されている第１の弾性部材１４によってカードトレイ１１を携帯電話から飛び出させ、ＳＩＭカードの排出を実現する。
【００１５】
図３を参照して、該ロック機構１３の構造は、押圧部材３１、ロックバー３２、および第２の弾性部材３３を含む。ここで、ロックバー３２にはロックキャッチ３４が設置され、図３は４つのロックキャッチを例示的に示している。図２を参照して分かるように、カードトレイにはロック部材２２が設置されており、ＳＩＭカードを支持するカードトレイが端末に挿入された場合、該ロックキャッチ３４とカードトレイにおけるロック部材２２との組み合わせ抵抗によりカードトレイの排出を阻止する。該組み合わせ抵抗とは、ロックキャッチ３４がカードトレイにおけるカードスロット２３に対応する位置（図２における楕円で示す位置）に位置し、このようにして、カードトレイを図２に示す矢印方向に沿って排出しようとする場合、カードトレイにおけるロック部材２２はカードスロット２３におけるロックキャッチ３４により受け止められて係止を実現することを意味する。カードを受け止める当該状態としては、さらに、図４を参照することができ、該図はロックキャッチ３４とロック部材２２とが互いに抵抗する係止状態を示している。
【００１６】
なお、図２より分かるように、カードトレイにおけるロック部材２２は、１つの斜面２４を有しており、カードトレイを端末に挿入する場合、該斜面２４によりガイドされて、カードトレイを次第に端末に推進することができ、該斜面がロックバー３２におけるロックキャッチ３４に推力を印加できる。該ロックキャッチ３４を解放させることによって、ロック部材２２はロックキャッチ３４による受け止めが解放され、最終的に端末に入り、ロックキャッチ３４がカードトレイのカードスロットの位置に入り、図４に示す係止状態を実現する。
【００１７】
ここに、次のことを説明しておく。図３に例示的に示している本発明の実施例の構造では、ロックバー３２にはロックキャッチ３４が４つ設置され、これに対応してカードトレイにはロック部材２２が２つ設置されており、２つのロックキャッチ３４が１つのロック部材に抵抗し、他の２つのロックキャッチ３４がもう１つのロック部材に抵抗する。図３に示すように、係止状態では、左側の２つのロックキャッチ３４が共同で１つのロック部材２２を受け止め、右側の２つのロックキャッチ３４が共同でもう１つのロック部材２２を受け止める。しかしながら、具体的に実施する過程において、図３に示すロックキャッチの形状、数及び位置等は限定されず、例えば、２つのロックキャッチを設置してもよく、他の位置に設置してもよく、他の形状を有するロックキャッチを設置してもよく、ロックキャッチとカードトレイにおけるロック部材との組み合わせ抵抗を実現できればよい。
【００１８】
ロック機構１３においては、押圧部材３１は例えばボタンであり、ロックバー３２を移動させるために押される構成であり、ロックバー３２におけるロックキャッチ３４を移動させて、ロック部材２２との組み合わせ抵抗を解除してカードトレイの排出を実現する。つまり、該ボタンを押すと、ロックバーが移動し、ロックキャッチ３４がカードトレイにおけるカードスロットから離れ、カードトレイにおけるロック部材２２を受け止めなくなり、カードトレイを排出し、ＳＩＭカードの排出を実現することができる。押圧部材３１が上記の推進作用を実現できるのは、該押圧部材がロックバー３２に接触する付勢面を備え、押圧部材３１が押圧された場合、該付勢面によってロックバー３２に押出力を印加してロックキャッチを移動させるからである。該付勢面とロックバーとの接触動作については、この後、引き続き図面で説明を行う。
【００１９】
ロック機構１３には、第２の弾性部材３３をさらに含む。該第２の弾性部材３３は、例えば、ロックバー３２に連結され、カードトレイが排出された後にロックバー３２を復帰させるためのコイルバネである。図３に示すように、該ロックバー３２には、さらに、カードトレイの着脱のためのカード・トレイ・スロット３５を備え、即ち、該カード・トレイ・スロットを介してカードトレイを着脱する。該ロックバー３２におけるカード・トレイ・スロットは、図１に示すケース１８におけるカード・トレイ・スロットに対応している。上記の押圧部材３１が押圧されてロックバーを変位させた後、カードトレイを良好に挿入させるためにロックバーにおけるカード・トレイ・スロットがケースにおけるカード・トレイ・スロットに対応することを保証するために、該ロックバーは復帰する必要がある。例えば、コイルバネの弾性力を押出力としてロックバーを初期位置に推進する。
【００２０】
図３に示すように、該ＳＩＭカード固定装置は、さらに、ロックバー３２に対して位置決め力を印加するための複数の位置決め部材３６を含んでもよい。具体的には、図３を参照して分かるように、該ロック機構はケース１８に設置され、即ち、ケース１８によって該ロック機構が設置され、該ロック機構における第１の弾性部材、第２の弾性部材がケース内部に設置されてもよく、位置決め部材３６がケースに設置（例えば、ケース１８と一体に設けられる）されてもよく、ロックバー３２が図３に示す矢印方向に沿って移動可能であり、ロックバーの移動手段によってロックバーにおけるロックキャッチ３４によるカードトレイにおけるロック部材２２の受け止めまたは非受け止めを実現し、第２の弾性部材３３でロックバーを初期位置に復帰させることによって、ロックバーにおけるカード・トレイ・スロット３５の正確な位置を保証し、カードトレイを良好に挿入させる。ロックバーが移動可能なものであり、例えば、移動可能な金属シート部材に類似するものであるため、ロックバーをスムーズかつ安定に移動させることができるように、複数の位置決め部材３６がロックバーの移動過程における位置決めを保証するために要求される。
【００２１】
図５は、該ロック機構がケース１８に設置されるときの図１における矢印Ａ方向に沿って見た側面と、矢印Ｂ方向に沿って見た側面との２つの側面図を示す。ここで、矢印Ａ方向に沿って見た側面は携帯電話ケースの露出する側面に相当し、ケース１８におけるカード・トレイ・スロット３５と押圧部材３１を示し、該押圧部材３１が例えばボタンである。ＳＩＭカードを支持するカードトレイを、該カード・トレイ・スロット３５を介して携帯電話に挿入することができ、ＳＩＭカードを取り外そうとする場合、手で上記のボタンを押すと、カードトレイがカードホルダーにおける第１の弾性部材によって飛び出す。矢印Ｂ方向に沿って見た側面は、携帯電話ケースの内側にある未露出の側面に相当し、ケース１８には第２の弾性部材３３、位置決め部材３６等が設置されており、第２の弾性部材３３がケース内部に設置されてもよく、位置決め部材３６がケースと一体に設置されてもよく、ロックバー３２がケースの内側面５１に密着して内側面５１に沿って移動するものであってもよく、位置決め部材３６が移動過程中のロックバーを強固に支持するものである。
【００２２】
他の実施例においては、該ロック機構は、さらに、押圧部材を押圧後第３の弾性部材による弾性力で復帰させるために、押圧部材３１に対応する第３の弾性部材を含む。図６を参照して、例えば、該第３の弾性部材６１がロックバー３２に固定される押圧バネであり、該押圧バネの付勢端６２が押圧部材３１に接触することによって、該付勢端を介して押圧部材に対して復帰力を印加する。
【００２３】
例えば、図７に示すように、ユーザが矢印方向に沿って該押圧部材３１のボタン端７１を押すと、該押圧部材は図６に示す矢印方向に沿って移動し、押圧部材にはロックバーに接触するための付勢面７２を備え、それぞれ押圧バネの押込面７３に接触する２つの付勢面７２を含み、付勢面が押込面に押出力を印加し、押圧部材が押圧バネに押出力を印加することに相当する。押圧バネはロックバーに固定されるため、押圧バネはロックバーを移動させ得、図７に示すように、ロックバー３２は点線矢印の方向に沿って移動して、ロックバーにおけるロックキャッチの移動がカードトレイのロック部材を受け止めなくなり、カードトレイの排出を実現する。ユーザがボタンを押さない場合、押圧バネは付勢端６２によって押圧部材３１に接触することによって、該付勢端６２を介して押圧部材３１に図６に示す点線矢印の方向に沿う復帰力を印加し、ボタンを押して復帰させる。
【００２４】
押圧バネによって押圧部材を復帰させる上記の方式は選択可能な方式であり、単に例示的な構造であることは自明なことであり、具体的に実施する過程において、該押圧バネを設置しなくてもよく、例えば、押圧部材を、付勢面を介して直接的にロックバーに接触させて、ロックバーのもう１つの側に第２の弾性部材（例えば、コイルバネ）が連結される。それにより、カードトレイが排出された後、コイルバネがロックバーに復帰力を印加する。これとともに、ロックバーが移動して上記付勢面を介して押圧部材に復帰力を印加し、押圧部材を復帰させる。なお、上記の押圧バネはロックバーに設置されなくてもよく、例えば、ケースに設置されてもよい。
【００２５】
他の実施例においては、カードトレイが排出されるとき、第１の弾性部材からの弾性力によってカードトレイが飛び出すことを防止するために、さらに、カードトレイを受け止めるための係止機構を設置することができる。図８に示すように、該係止機構は、カードトレイ１１の側面８１に設置されている第１の係止部材８２と、カードホルダー１２におけるカードトレイの側面と方向が同一の側縁８３に設置され、カードトレイ１１が排出されるときに第１の係止部材８２に抵抗力を印加するための第２の係止部材８４と、を含む。図８における矢印に示すように、カードトレイが排出される場合、第１の係止部材８２は第２の係止部材８４により受け止められることによって、カードトレイに所定の抵抗力を印加して飛び出すことを回避する。ユーザは手でカードトレイを引きずって、カードトレイを端末から完全に排出させることができる。
【００２６】
上記のようにＳＩＭカード固定装置の構造を記載した上、以下複数の添付図面を参照してＳＩＭカードの着脱過程について別々に説明を行う。
【００２７】
係止とは、ＳＩＭカードを支持するカードトレイを端末に挿入する過程を指す。
【００２８】
図９、図１０および図１１に示すように、ＳＩＭカードを支持するカードトレイ１１を矢印方向に沿ってケースにおけるカード・トレイ・スロットのスロット位置に挿入することによって、カードトレイをカードホルダー１２に収納する。カードトレイ１１を挿入する過程において、カードトレイ１１におけるロック部材２２はその斜面によってロック機構におけるロックキャッチ３４に対して推力を印加し、ロックバー３２を移動させ、ロックキャッチ３４から解放させて、カードトレイを端末に収納する。その後、第２の弾性部材３３（例えば、コイルバネ）による推進によって、ロックバー３２を復帰させると同時に、ロックキャッチ３４がカードトレイ１１のカードスロット２３に入り、図１１に示す係止状態を実現する。
【００２９】
カードの排出とは、ＳＩＭカードを支持するカードトレイを端末から排出させる過程を指す。
【００３０】
図１２、図１３、図１４および図１５に示すように、図１２に示すケースにおける押圧部材３１を手で押圧すると、押圧部材３１はロックバー３２を図１３における左方向へ移動させて、これにより、ロックバー３２におけるロックキャッチ３４も左方向へ移動し、カードトレイ１１におけるロック部材２２を受け止めなくなる。この過程はロックキャッチの非受け止め状態と称され得る。図１４を参照して、この場合、カードトレイ１１は、カードホルダー１２における第１の弾性部材１４（バネ）からの押出力により、カードトレイはケース１８のカード・トレイ・スロット３５から排出される。カードトレイが排出された後、押圧部材３１が押圧バネによる作用で復帰し、ロックバー３２も第２の弾性部材３３（コイルバネ）による作用で復帰する。この後、ロックバーにおけるカード・トレイ・スロットはケースにおけるカード・トレイ・スロットに対応して、カードトレイの次回の挿入のための準備を行う。
【００３１】
端末で本発明の実施例に係わるＳＩＭカード固定装置を使用する場合、ユーザはエジェクトピン（ｎｅｅｄｌｅ）を持ち歩く必要がなく、携帯電話自体には起動ボタンが設けられ、エジェクトピンを用いずにＳＩＭカードの着脱を実現でき、携帯電話の操作が容易となる。
【００３２】
図１６は例示的な実施例におけるモバイル端末８００のブロック図である。例えば、該モバイル端末８００は携帯電話であってもよい。該モバイル端末は、ケース、および本発明の実施例に記載のＳＩＭカード固定装置を含み、該ケースにはカードトレイの挿入のためのスロットが設置され、該スロットが即ち上記のケースにおけるカード・トレイ・スロットであり、前記ＳＩＭカード固定装置が前記ケースに固定され、かつ、前記ＳＩＭカード固定装置におけるロックバーには前記スロットに対応する、カードトレイの挿入するためのスロット部（即ち、ロックバーにおけるカード・トレイ・スロット）が設置されている。ここで、ＳＩＭカード固定装置における押圧バネはロックバーまたはケースに固定されてもよい。
【００３３】
図１６を参照して、装置８００は、処理コンポーネント８０２、メモリ８０４、電源供給コンポーネント８０６、マルチメディアコンポーネント８０８、オーディオコンポーネント８１０、入力／出力（Ｉ／Ｏ）インターフェース８１２、センサコンポーネント８１４、及び通信コンポーネント８１６のような一つ以上のコンポーネントを含んでよい。
【００３４】
処理コンポーネント８０２は、一般的には装置８００の全体の操作を制御するものであり、例えば、表示、電話呼び出し、データ通信、カメラ操作、及び記録操作と関連する操作を制御する。処理コンポーネント８０２は、１つ以上のプロセッサ８２０を含み、これらによって命令を実行することにより、上記の方法の全部、或は一部のステップを実現するようにしてもよい。なお、処理コンポーネント８０２は、１つ以上のモジュールを含み、これらによって処理コンポーネント８０２と他のコンポーネントの間のインタラクションを容易にするようにしてもよい。例えば、処理コンポーネント８０２は、マルチメディアモジュールを含み、これらによってマルチメディアコンポーネント８０８と処理コンポーネント８０２の間のインタラクションを容易にするようにしてもよい。
【００３５】
メモリ８０４は、各種類のデータを記憶することにより装置８００の操作を支援するように構成される。これらのデータの例は、装置８００において操作されるいずれかのアプリケーションプログラム又は方法の命令、連絡対象データ、電話帳データ、メッセージ、画像、ビデオ等を含む。メモリ８０４は、いずれかの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、或は光ディスクである。
【００３６】
電源供給コンポーネント８０６は、装置８００の多様なコンポーネントに電力を供給する。電源供給コンポーネント８０６は、電源管理システム、１つ以上の電源、及び装置８００のための電力の生成、管理及び割り当てに関連する他のコンポーネントを含んでもよい。
【００３７】
マルチメディアコンポーネント８０８は、前記装置８００とユーザの間に１つの出力インターフェースを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは１つ以上のタッチセンサを含んでおり、タッチ、スライド、及びタッチパネル上のジェスチャを検出することができる。前記タッチセンサは、タッチ、或はスライドの動作の境界だけでなく、前記のタッチ、或はスライド操作に係る継続時間及び圧力も検出できる。上記の実施例において、マルチメディアコンポーネント８０８は、１つのフロントカメラ、及び／又はリアカメラを含む。装置８００が、例えば撮影モード、或はビデオモード等の操作モードにある場合、フロントカメラ、及び／又はリアカメラは外部からマルチメディアデータを受信できる。フロントカメラとリアカメラのそれぞれは、１つの固定型の光レンズ系、或は可変焦点距離と光学ズーム機能を有するものであってもよい。
【００３８】
オーディオコンポーネント８１０は、オーディオ信号をインターフェースするように構成されてもよい。例えば、オーディオコンポーネント８１０は、１つのマイクを含み、装置８００、例えば呼出しモード、記録モード、及び音声認識モード等の操作モードにある場合、マイクは外部のオーディオ信号を受信することができる。受信されたオーディオ信号は、さらにメモリ８０４に記憶されたり、通信コンポーネント８１６を介して送信されたりされる。上記の実施例において、オーディオコンポーネント８１０は、オーディオ信号を出力するための１つのスピーカーをさらに含む。
【００３９】
入力／出力インターフェース８１２は、処理コンポーネント８０２と周辺インターフェースモジュールの間にインターフェースを提供するものであり、上記周辺インターフェースモジュールは、キーボード、クリックホイール、ボタン等であってもよい。これらのボタンは、ホームボタン、ボリュームボタン、起動ボタン、ロッキングボタンを含んでもよいが、これらに限定されない。
【００４０】
センサコンポーネント８１４は、装置８００に各方面の状態評価を提供するための１つ以上のセンサを含む。例えば、センサコンポーネント８１４は、装置８００のＯＮ／ＯＦＦ状態、装置８００のディスプレイとキーパッドのようなコンポーネントの相対的な位置決めを検出できる。また、例えば、センサコンポーネント８１４は、装置８００、或は装置８００の１つのコンポーネントの位置変更、ユーザと装置８００とが接触しているか否か、装置８００の方位、又は加速／減速、装置８００の温度の変化を検出できる。センサコンポーネント８１４は、何れかの物理的接触がない状態で付近の物体の存在を検出するための近接センサを含んでもよい。センサコンポーネント８１４は、撮影アプリケーションに適用するため、ＣＭＯＳ、又はＣＣＤ画像センサのような光センサを含んでもよい。上記の実施例において、当該センサコンポーネント８１４は、加速度センサ、ジャイロスコープセンサ、磁気センサ、圧力センサ、及び温度センサをさらに含んでもよい。
【００４１】
通信コンポーネント８１６は、装置８００と他の機器の間の有線、又は無線通信を提供する。装置８００は、例えばＷｉＦｉ、２Ｇ、３Ｇ、或はこれらの組み合わせのような、通信規格に基づいた無線ネットワークに接続されてもよい。１つの例示的な実施例において、通信コンポーネント８１６は、放送チャンネルを介して外部の放送管理システムからの放送信号、又は放送に関連する情報を受信する。１つの例示的な実施例において、前記通信コンポーネント８１６は、近距離無線通信（ＮＦＣ）モジュールをさらに含むことにより、近距離通信を実現する。例えば、ＮＦＣモジュールは、ＲＦＩＤ（Ｒａｄｉｏ  Ｆｒｅｑｕｅｎｃｙ  ＩＤｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  Ｗｉｄｅ  Ｂａｎｄ）技術、ＢＴ（Ｂｌｕｅｔｏｏｔｈ（登録商標））技術、他の技術に基づいて実現できる。
【００４２】
例示的な実施例において、装置８００は、１つ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子部品によって実現されるものであり、上記方法を実行する。
【００４３】
当業者は、本明細書に開示された発明の詳細を考慮し、実施することにより、本発明の他の実施形態を容易に想定することができる。本出願は、本発明のいかなる変形、用途、又は適応を含むことを目的としており、いかなる変形、用途、又は適応は、本発明の一般原理に基づいて、且つ本開示において公開されていない本技術分野においての公知常識又は慣用技術手段を含む。明細書及び実施例は、例示的なものを開示しており、本発明の保護範囲と主旨は、特許請求の範囲に記述される。
【００４４】
本発明は、上記において開示された構成又は図面に示した構造に限定されるものではなく、本発明の範囲内であれば、様々な改良又は変更を行うことができる。本発明の範囲は、特許請求の範囲により制限される。
【００４５】
本願は、出願番号が２０１４１０６０２８１７．６であって、出願日が２０１４年１０月３１日である中国特許出願に基づき優先権を主張し、当該中国特許出願のすべての内容を本願に援用する。
【図１】
2017500678.tif 000003
【図２】
2017500678.tif 000004
【図３】
2017500678.tif 000005
【図４】
2017500678.tif 000006
【図５】
2017500678.tif 000007
【図６】
2017500678.tif 000008
【図７】
2017500678.tif 000009
【図８】
2017500678.tif 000010
【図９】
2017500678.tif 000011
【図１０】
2017500678.tif 000012
【図１１】
2017500678.tif 000013
【図１２】
2017500678.tif 000014
【図１３】
2017500678.tif 000015
【図１４】
2017500678.tif 000016
【図１５】
2017500678.tif 000017
【図１６】
2017500678.tif 000018
【国際調査報告】
2017500678.tif 000019
2017500678.tif 000020
2017500678.tif 000021
2017500678.tif 000022